(57)【要約】【課題】薬品アンプルの非接触型電子タグを再利用できるようにする。【解決手段】非接触型電子タグ３を取り付けたキャップ型アンプル開封器２をアンプル１にかぶせて、医薬品情報を書き込んで出荷する。流通経路の随所の読取器で非接触型電子タグ３のデータを読み取って、アンプル１の在庫管理や追跡を行う。また、投薬時に投薬ミスのチェックも行う。キャップ型アンプル開封器２を使ってアンプル１を折って開封したら、排出機構４を指で押して、アンプル１の頭部残骸を捨てる。キャップ型アンプル開封器２を回収用容器に入れて回収し、製薬会社や流通過程に戻して再利用する。【選択図】図１
2007176560.tif 000002
【特許請求の範囲】
【請求項１】
薬剤アンプルを開封するためのキャップ型アンプル開封器において、非接触型電子タグと、切断されたアンプル頭部を排出するための排出機構とを具備することを特徴とするキャップ型アンプル開封器。
【請求項２】
前記薬剤アンプルに粘着するシール部材を設けたことを特徴とする請求項１記載のキャップ型アンプル開封器。
【請求項３】
請求項１記載のキャップ型アンプル開封器の非接触型電子タグのデータを読み取る読取器と、読み取ったデータと投薬指示のデータとを照合する手段と、照合結果が不一致の場合は投薬ミスの警告を発する手段とを具備することを特徴とする投薬ミス警告装置。
【請求項４】
請求項１記載のキャップ型アンプル開封器の非接触型電子タグのデータを読み取る読取器と、読み取った際の時刻を当該薬剤の投薬時刻として記録する記録手段とを具備することを特徴とするキャップ型アンプル開封器回収容器。
【発明の詳細な説明】
【技術分野】
【０００１】
本発明は、キャップ型アンプル開封器に関し、特に、非接触型電子タグを取り付けたキャップ型アンプル開封器に関する。
【背景技術】
【０００２】
従来、医薬品の種別や流通経路を確認するために、バーコードなどの識別手段が利用されている。また近時、医薬品トレーサビリティに関する法律が施行された。例えば、2005年４月１日に、改正薬事法が施行された。また、医療機関では経営効率化の意識が高まっている。医薬品業界でも、業務効率化やコスト削減のニーズが大きい。医療過誤防止の観点からも、医薬品データの収集や医薬品種別の認識が人間の手を直接介さずにできる自動認識技術への期待が高まってきている。
【０００３】
一般に、医薬品の誤投与を防止するために、医薬品には用法や注意事項等が記載された能書が必ず添付されている。さらに、副作用情報等も製薬会社から随時、医療関係者（医師、看護婦、薬剤師）に伝達されている。しかしながら、医療関係者が、医薬品に添付され用法や注意事項等が記載された能書きに目を通していたとしても、その内容を必ずしもすべて把握しているとは限らない。また、製薬会社から随時伝達される副作用情報等も、医療関係者に到達するまでには時間がかかるとともに、医療関係者に周知徹底される保証がない。そのために、患者に対して誤った投与がなされる畏がある。
【０００４】
医師の処方ミス（薬の間違い、用量の間違い等）、薬剤師のミス（薬や量の間違い等）、看護婦のミス（投薬患者の取り違い、薬や量の間違い）等の人為的ミスも、人手のみに頼る限り、完全には無くせない。このようなミスは、患者を生命の危険にさらし、時には死に至らしめることもある。錠剤やカプセルなどの経口投与薬では、薬の誤投与による生命の危険は少ないが、注射や輸液では、誤投与は患者の生命に関わる場合が少なくない。このような危険を回避するために、医薬品に非接触型電子タグなどを添付して、随時、医薬品の状態を監視したり警告したりすることが行われている。また、バーコードの代わりに非接触型電子タグを添付して、医薬品の流通経路などを追跡することも行われている。このような薬品管理に関する従来技術の例を以下にあげる。
【０００５】
特許文献１に開示された「タグ付き医薬品包装体」は、医薬品の誤投与を防止するものである。図２に示すように、情報の読書きがなされるメモリを有するタグを、医薬品の包装に取り付ける。タグは、医薬品の包装に直接取り付けても良いし、何かを媒介にして取り付けても良い。医薬品が患者に投与されるまで、タグに各種情報を読み書きする。
【特許文献１】特開2002-172150号公報
【発明の開示】
【発明が解決しようとする課題】
【０００６】
しかし、従来の非接触型電子タグ付薬品アンプルなどでは、非接触型電子タグを再利用できないという問題がある。価格がバーコードと比較してはるかに高価な非接触型電子タグが、医薬品になかなか取り付けて運用されない理由がここにある。
【０００７】
本発明の目的は、上記従来の問題を解決して、薬品アンプルの非接触型電子タグを再利用できるようにすることである。
【課題を解決するための手段】
【０００８】
上記の課題を解決するために、本発明では、薬剤アンプルを開封するためのキャップ型アンプル開封器に、非接触型電子タグと、切断されたアンプル頭部を排出するための排出機構とを具備する構成とした。
【発明の効果】
【０００９】
上記のように構成したことにより、薬品アンプルの非接触型電子タグを再利用できる。
【発明を実施するための最良の形態】
【００１０】
以下、本発明を実施するための最良の形態について、図１を参照しながら詳細に説明する。
【実施例】
【００１１】
本発明の実施例は、非接触型電子タグと、切断されたアンプル頭部を排出するための排出機構とを備えたキャップ型アンプル開封器である。
【００１２】
図１は、本発明の実施例におけるキャップ型アンプル開封器の概念図である。図１（ａ）は、アンプルにキャップ型アンプル開封器をかぶせた状態を示す図である。図１（ｂ）は、キャップ型アンプル開封器からアンプル頭部を排出した様子を示す図である。図１（ｃ）は、アンプルにキャップ型アンプル開封器をかぶせた状態の断面図である。図１（ｄ）は、キャップ型アンプル開封器からアンプル頭部を排出する様子を示す断面図である。
【００１３】
図１において、アンプル１は、医薬品液が密封されたガラス容器である。キャップ型アンプル開封器２は、アンプルの頭部にかぶせて、頭部を切り取って開封する器具である。非接触型電子タグ３は、読取器からの電波を受信して駆動電力とし、識別符号などを送信するICタグである。不揮発性メモリを有するものでもよいし、識別符号を送信するのみのものでもよい。排出機構４は、アンプルから分離した頭部を排出するための伸縮可能部分である。蛇腹式あるいはスライド式などの周知の形式で実現可能なものでよい。
【００１４】
上記のように構成された本発明の実施例におけるキャップ型アンプル開封器の機能と動作を説明する。キャップ型アンプル開封器２に、非接触型電子タグ３を取り付ける。キャップ型アンプル開封器２には、アンプル１から分離した頭部を排出するための排出機構４が設けられている。薬液の入ったアンプル１に、キャップ型アンプル開封器２をかぶせる。キャップ型アンプル開封器２がアンプル１から外れた場合にわかるように、シールテープなどで封をしておく。ただし、アンプル１の使用時には特に操作をしなくても封が切れるようにしておく。または、アンプル頭部とアンプル本体との繋ぎ目のくびれ部分に引っかかって簡単には外れにくくする機構（抜け防止突起）を設けても良い。図１（ａ）に示す状態にして、非接触型電子タグ３に、その医薬品が何であるかの基本情報とともに、ロット番号や製造年月日を医薬品情報として書き込んで出荷する。キャップ型アンプル開封器２の取り付けと情報書き込みは、製薬会社で行ってもよいし、薬事法のもとで行う必要はあるが、その他の流通過程（病院内も含む）で行ってもよい。非接触型電子タグ３が、メモリを持たず、識別符号を送信するのみのICタグである場合は、その識別符号に対応させて、センターの装置に医薬品情報を書き込んでおく。
【００１５】
アンプル１の流通経路の要所で、随時、読取器で非接触型電子タグ３のデータを読み取って、アンプル１の在庫管理や追跡を行う。在庫管理や追跡の方法は、従来の方法と同じであるので、詳しい説明は省略する。アンプル１の封を切る際には、読取器で非接触型電子タグ３のデータを読み取って、投薬指示のデータと照合することにより、不一致の場合は投薬ミスの警告を発する。投薬ミスのないことを確認してから、キャップ型アンプル開封器２を使ってアンプル１を折って開封する。
【００１６】
開封後には、キャップ型アンプル開封器２の中に、アンプル１の頭部が残っている。アンプル１の頭部がキャップ型アンプル開封器２の中に残ったまま、リユースのためにキャップ型アンプル開封器２を回収すると、アンプル１の頭部がガラスなので危険である。アンプル１の頭部に薬品が多く付着していると、薬品の種類によっては危険である。そこで、図１（ｂ）に示すようにして、アンプル１を折った後すぐに、キャップ型アンプル開封器２の端部にある排出機構４を指で押して、キャップ型アンプル開封器２の中に残っているアンプル１の頭部残骸を捨てる。図１（ｃ）に示すように、キャップ型アンプル開封器２の中にアンプル頭部が残るので、図１（ｄ）に示すように、キャップ型アンプル開封器２の頭頂部を押して、アンプル頭部を排出する。この例は、キャップ型アンプル開封器２の頭頂部がスライドする形式のものであるが、蛇腹式のものでも同様である。
【００１７】
残ったキャップ型アンプル開封器２だけを、回収用容器に入れて回収する。回収用容器に設けた読取器で、キャップ型アンプル開封器２の非接触型電子タグ３のデータを読み取って、その時刻に投薬されたことを記録する。読取器は、非接触型電子タグの従来の読取器と同様であるので、説明は省略する。回収したキャップ型アンプル開封器２を、製薬会社や流通過程で取り付ける工程に戻し、再利用する。
【００１８】
上記のように、本発明の実施例では、キャップ型アンプル開封器を、非接触型電子タグと、切断されたアンプル頭部を排出するための排出機構とを備えた構成としたので、薬品アンプルの非接触型電子タグをリユースできる。
【産業上の利用可能性】
【００１９】
本発明のキャップ型アンプル開封器は、医薬品を追跡、監視、確認でき、再利用できるキャップ型アンプル開封器として最適である。
【図面の簡単な説明】
【００２０】
【図１】本発明の実施例におけるキャップ型アンプル開封器の概念図である。
【図２】従来の非接触型電子タグ付アンプルの概念図である。
【符号の説明】
【００２１】
１  アンプル
２  キャップ型アンプル開封器
３  非接触型電子タグ
４  排出機構
【図１】
2007176560.tif 000003
【図２】
2007176560.tif 000004